Podtech/llm-jp-corpus-v4-ja_patent huggingface dataset:
(57)【要約】      （修正有）【課題】ロール紙の種別を自動で確認でき、かつ装填されているロール紙が営業に不適なものであると判断した場合、自動的にロール紙種別違いの警告を出し営業運転を停止させることの出来る運用方式を提供する。【解決手段】運用中に用紙切れ等の理由で新たなロール紙を装填した場合（ステップ１００）、または装置を起動した場合（ステップ１０１）に必ずロール紙格納部に実装された非接触ＩＣチップリーダがあらかじめロール紙の芯に埋め込まれている非接触ＩＣチップの情報を読み取り、装填されたロール紙の種別情報を取得する（ステップ１１１）。ロール紙が営業用であった場合は装置運用の種類を問わず運転を継続する（ステップ１５１）が、営業用で無かった場合は装置運用の種類が営業運転と判別された時点で直ちに運転停止の処理を実施する（ステップ１４１）。【選択図】図２
2008194959.tif 000002
【特許請求の範囲】
【請求項１】
印字媒体の種別判別手段を備えたことを特徴とする発券プリンタ。
【請求項２】
請求項１に記載の発券プリンタであって、
前記種別判別手段は、印字媒体に搭載した非接触ＩＣチップと、該発券プリンタに備えた非接触ＩＣチップリーダとからなることを特徴とする発券プリンタ。
【請求項３】
請求項２に記載の発券プリンタであって、
前記印字媒体はロール状媒体であって、かつ、前記非接触ＩＣチップが該ロール状媒体の芯部に搭載されていることを特徴とする発券プリンタ。
【請求項４】
請求項１〜３のいずれかに記載の発券プリンタであって、
該発券プリンタが判別した印字媒体の種別を上位装置へ送信することを特徴とする発券プリンタ。
【請求項５】
請求項４に記載の発券プリンタであって、
前記上位装置は、該発券プリンタからの印字媒体種別情報に基づいて、運転停止もしくは警告画面の表示を該発券プリンタに指示し、その指示に基づいて動作することを特徴とする発券プリンタ。
【発明の詳細な説明】
【技術分野】
【０００１】
本発明は鉄道事業向け運用方式に関し、特に磁気券発券プリンタで使用される運用方式に関する。
【背景技術】
【０００２】
鉄道事業等において発券される切符のうち、磁気券は営業専用ロール紙を使用して印刷される。切符は有価証券であるため、決められたロール紙以外での印刷は認められない。
【０００３】
また、発券プリンタの保守作業を実施する際には、保守専用のロール紙を使用する。しかしながら保守作業完了後、保守専用ロール紙を発券プリンタ内に装填したまま営業を開始し、保守専用ロール紙で利用客への切符を発券してしまう誤った事例が起こっている。
【０００４】
このような事例が発生する原因は保守作業者の確認不備が主原因であるが、同時に確認手段がロール紙装填部を外部に露出されるか、あらかじめ装置に用意されたロール紙確認用の窓からの目視しかないことも原因として挙げられる。
【０００５】
ロール紙を自動判別する技術としては、特許文献１（特開平１１−３２２１４８号公報）のようにロール紙の芯の内側にロール紙種別判別用の穴を開けておき、ロール紙を装填する軸側に用意された検知用の突起体に芯の穴を検知させる方法が挙げられる。
【０００６】
【特許文献１】特開平１１−３２２１４８
【発明の開示】
【発明が解決しようとする課題】
【０００７】
かかる従来の方法においては、次のような問題がある。
【０００８】
すなわち、ロール紙の芯の穴と軸側の突起体を確実に一致させなければロール紙の種別を判別することが出来ない、という点である。
【０００９】
本発明の目的は、ロール紙の種別を迅速かつ確実に自動で確認でき、その上で装填されているロール紙が営業に不適なものであると判断した場合、自動的にロール紙種別違いの警告を出し営業運転を停止させることの出来る装置を提供することにある。
【課題を解決するための手段】
【００１０】
本発明は、あらかじめロール紙の種別にあわせた情報を持った非接触ＩＣチップをロール紙の芯に埋め込んでおき、発券プリンタのロール紙装填部に取り付けた非接触ＩＣチップリーダが装填されたロール紙の種別を自動で読み取って上位側に送信し、必要に応じて警告画面の表示や運転の停止を可能とする装置である。
【発明の効果】
【００１１】
本発明によれば、営業運転に使用できないロール紙が装填されていた場合でも誤って切符を印刷することを防ぐことが出来る。
【発明を実施するための最良の形態】
【００１２】
発券プリンタに非接触ＩＣチップリーダを実装し、発券プリンタを操作する上位側端末に非接触ＩＣチップリーダからの情報を受信する機能と受信した情報によって自動的に制御を行なうプログラムをインストールする。営業用ロール紙の芯には全て該当する情報の入った非接触ＩＣチップをあらかじめ埋め込んでおき、営業運転を行なうためには必ずこの営業用ロール紙を装填しなくてはならないようにする。
【００１３】
以下、本発明の実施例を詳細に説明する。
【実施例１】
【００１４】
図１は本発明を実現するために構築される装置の例であり、非接触ＩＣチップがあらかじめロール芯１１０３に埋め込まれたロール紙を格納する部分、非接触ＩＣチップの情報を読み取り可能な位置に実装された非接触ＩＣチップリーダ１１０１、非接触ＩＣチップリーダが読み取った情報を受信しロール紙の種類に対応した処理を実行することの出来る上位側装置１１０２で構成される。
【００１５】
図２は本装置による運用を示すフローチャートである。以下にフローチャートの詳細な説明を示す。運用中に用紙切れ等の理由で新たなロール紙を装填した場合（ステップ１００）、または装置を起動した場合（ステップ１０１）に必ずロール紙格納部に実装された非接触ＩＣチップリーダがあらかじめロール紙の芯に埋め込まれている非接触ＩＣチップの情報を読み取り、装填されたロール紙の種別情報を取得する（ステップ１１１）。
【００１６】
ロール紙が営業用であった場合は装置運用の種類を問わず運転を継続する（ステップ１５１）が、営業用で無かった場合は装置運用の種類が営業運転であるかを確認する（ステップ１２１）。ここで営業運転であった場合は直ちに運転停止の処理を実施する（ステップ１４１）。あるいは、運転停止の前に警告画面を表示してもよい。営業運転ではない場合は引き続き装置運用の種類を監視し（ステップ１３１）、もしも営業運転に運用が切り替わった場合は直ちに運転停止の処理を実施する（ステップ１４１）。
【産業上の利用可能性】
【００１７】
磁気券プリンタを実装する窓口端末用発券プリンタおよび自動券売機に利用する。
【図面の簡単な説明】
【００１８】
【図１】本発明を実現するために構築するシステムの例である。
【図２】本発明である運用方式を示すフローチャートである。
【符号の説明】
【００１９】
１０１・・・非接触ＩＣチップリーダ、１０２・・・上位装置、１０３・・・非接触ＩＣチップ入りロール紙芯
【図１】
2008194959.tif 000003
【図２】
2008194959.tif 000004
(57)【要約】【課題】取り外しの簡単な靴用防水具を提供する。【解決手段】防水具と靴、各々に対応する装着具、装着部を設けた。【選択図】図１
2008194062.tif 000002
【特許請求の範囲】
【請求項１】
柔軟性を備え、靴及び足首を包む形に裁断された、シート状の防水具について、突起を用い、シートと靴下部に対応する固定用機能を設けた靴用防水具。
【発明の詳細な説明】
【技術分野】
【０００１】  本発明は、着脱可能な靴用の防水具に関するものである。
【背景技術】
【０００２】  雨合羽等を使用した時、通常の運動靴等では靴に水が溜まり不健全で、濡れるのを防ぐ方法が必要であった。【０００３】  従来は靴全体を包む方法や、柔軟性を備えたカバー体を取り付けるものがある。（例えば特許文献１参照。）。【０００４】
【特許文献１】  特開２００２−７８５０３号
【発明の開示】
【発明が解決しようとする課題】
【０００５】  しかし、全体を包む方法や、かってのカバーでは、着脱が不便であり頻繁に簡単に使うには問題がある。【０００６】  本発明は、このような従来の問題点を解決しようとするもので、簡単に靴に着脱が可能であり、しかも確実に固定され、また安全に使用できる防水具を提供することを目的とするものである。【０００７】  本発明は、着脱式防水具とそれに対応する取り付ける部分を靴に設けるものである。
【発明の効果】
【０００８】  本発明によれば靴に簡単な加工を施すことにより、簡単に防水具を着脱することが出来る。また着脱は完全で安全に使用することが出来る。
【実施例】
【０００９】  本発明の防水具は、図１に示されるように靴４を包むシート状の防水体１に、固定具２をもうけ、靴には固定具を挿入する穴２Ａをもうけたもので、シートの合わせ目には固定用の結合体３が取り付けられている。【００１０】  図２のようにシートとシートの固定部３は靴の外側に設ける。ボタン、マジックテープ等が可能であり、シートは弾力性のある物も可能である。【００１１】  図２にしめすように装着時は各対応する部分を順次はめ合わすことによって行う。はずす時は各はめあいを解けばよい。突起による固定のため、装着後は簡単に外れることはなく、ものに絡んだりすることもなく安全に使用される。【００１２】  図３は本発明の実施例でくつの下部に設けられた穴２Ａにシートに取り付けた固定具２Ｂをシートとともに固定するものである。【００１３】  図４、図５は同様な効果を期待出来る使用例である。図４では靴に設けた突起２Ｃにシートの穴を通すものである。図５は固定具２Ｄを靴、カバーとは別に設けたものである。【００１４】  図６図７は防水具どうしの合わせ目の固定に関するもので、ボタン３Ａ３Ｂ、またはマジックデープ３Ｃ３Ｄが可能である。
【図面の簡単な説明】
【図１】本発明に関する防水具を装着した外観である。
【図２】防水具の着脱を説明する図である。
【図３】実施例である。
【図４】同様の実施例である。
【図５】同様の実施例である。
【図６】カバー固定部の説明である。
【符号の説明】
１・・・靴防水用カバー
２・・・靴・防水具固定用具
３・・・シート合わせ目固定具
４・・・靴本体
【図１】
2008194062.tif 000003
【図２】
2008194062.tif 000004
【図３】
2008194062.tif 000005
【図４】
2008194062.tif 000006
【図５】
2008194062.tif 000007
【図６】
2008194062.tif 000008
【図７】
2008194062.tif 000009
【手続補正書】
【提出日】平成18年6月5日(2006.6.5)
【手続補正１】
【補正対象書類名】明細書
【補正対象項目名】全文
【補正方法】変更
【補正の内容】
【発明の詳細な説明】
【技術分野】
【０００１】  本発明は、着脱可能な靴用の防水具に関するものである。
【背景技術】
【０００２】  雨合羽等を使用した時、通常の運動靴等では靴に水が溜まり不健全で、濡れるのを防ぐ方法が必要であった。【０００３】  従来は靴全体を包む方法や、柔軟性を備えたカバー体を取り付けるものがある。（例えば特許文献１参照。）。【０００４】
【特許文献１】  特開２００２−７８５０３号
【発明の開示】
【発明が解決しようとする課題】
【０００５】  しかし、全体を包む方法や、かってのカバーでは、着脱が不便であり頻繁に簡単に使うには問題がある。【０００６】  本発明は、このような従来の問題点を解決しようとするもので、簡単に靴に着脱が可能であり、しかも確実に固定され、また安全に使用できる防水具を提供することを目的とするものである。【０００７】  本発明は、着脱式防水具とそれに対応する取り付ける部分を靴に設けるものである。
【発明の効果】
【０００８】  本発明によれば靴に簡単な加工を施すことにより、簡単に防水具を着脱することが出来る。また着脱は完全で安全に使用することが出来る。
【実施例】
【０００９】  本発明の防水具は、図１に示されるように靴４を包むシート状の防水体１に、固定具２をもうけ、靴には固定具を挿入する穴２Ａをもうけたもので、シートの合わせ目には固定用の結合体３が取り付けられている。【００１０】  図２のようにシートとシートの固定部３は靴の外側に設ける。ボタン、マジックテープ等が可能であり、シートは弾力性のある物も可能である。【００１１】  図２にしめすように装着時は各対応する部分を順次はめ合わすことによって行う。はずす時は各はめあいを解けばよい。突起による固定のため、装着後は簡単に外れることはなく、ものに絡んだりすることもなく安全に使用される。                        （２）【００１２】  図３は本発明の実施例でくつの下部に設けられた穴２Ａにシートに取り付けた固定具２Ｂをシートとともに固定するものである。【００１３】  図４、図５は同様な効果を期待出来る使用例である。図４では靴に設けた突起２Ｃにシートの穴を通すものである。図５は固定具２Ｄを靴、カバーとは別に設けたものである。【００１４】  図６図７は防水具どうしの合わせ目の固定に関するもので、ボタン３Ａ３Ｂ、またはマジックテープ３Ｃ３Ｄが可能である。
【図面の簡単な説明】
【図１】本発明に関する防水具を装着した外観である。
【図２】防水具の着脱を説明する図である。
【図３】実施例である。
【図４】同様の実施例である。
【図５】同様の実施例である。
【図６】カバー固定部の説明である。
【図７】カバー固定部の実施例である。
【符号の説明】
１・・・靴防水用カバー
２・・・靴・防水具固定用具
３・・・シート合わせ目固定具
４・・・靴本体
(57)【要約】【課題】  従来の釣竿保持具とは異なる器具を創造した。【解決手段】  ２個のクリップを使用してクーラーボックスの取っ手を挟んでクリップのとっての部分で釣り竿を保持する。【選択図】図２
2008194022.tif 000002
【特許請求の範囲】
【請求項１】
釣り用クーラーボックスの取っ手をはさむことにより釣竿保持器具としての機能を有する携帯釣竿保持クリップ。
【発明の詳細な説明】
【技術分野】
【０００１】  本発明は、クーラーボックスに装着する携帯用の釣り竿保持具である。
【背景技術】
【０００２】  従来の釣り竿保持具は、クーラーボックスにボルトや接着テープ等で取り付けて固定したり、竿保持具を取り付ける為の専用の補助器具をクーラーに取り付けている。
【発明の開示】
【発明が解決しようとする課題】
【０００３】  従来のクーラーボックスに取り付ける釣竿保持具は簡単に取り外しができない。
【課題を解決するための手段】
【０００４】  ボルトや接着テープ等は使わずに、クーラーボックスの取っ手にクリップ部ではさむだけで良い。
【発明の効果】
【０００５】  使用する時だけ取り付け、使用しない時は外せる。一つのクーラーボックスだけでなく他のクーラーボックスにも使えるので便利で経済的。
【発明を実施するための最良の形態】
【０００６】  図に示すように二つのクリップ部をクーラーの取っ手にはさむだけでクリップのとっての部分で竿を保持することができる。
【図面の簡単な説明】
【０００７】
【図１】  ロッドクリップの形状をあらわしている
【図２】  本発明の使用例をあらわしている
【符号の説明】
【０００８】  １    クーラーボックス
２    取っ手
３ａ  ロッドクリップ１
３ｂ  ロッドクリップ２
４    釣り竿
【０００９】２のクーラーボックスのとってを３ａと３ｂのロッドクリップで挟んでクリップのとっての部分で４の釣り竿を保持する。
【図１】
2008194022.tif 000003
【図２】
2008194022.tif 000004
(57)【要約】【課題】手羽中に詰め物をした料理をつくるとき、簡単に骨がとれる、手羽中の骨とりハサミを提供する。【解決手段】刃部（６）から柄部（３）を介し握り部（２）とからなる単体を、支点（１）を介して一対（体）形成してハサミとし、支点（１）と握り部（２）間に手羽中をはさみ、押し下げると２本の骨が露出し、簡単に骨がとれる形状の開口部（４）（５）を設けたことを特徴とする、手羽中の骨とりハサミ。【選択図】図１
2008194020.tif 000002
【特許請求の範囲】
【請求項１】
刃部から柄部を介し握り部とからなる単体を、支点を介して一対形成してハサミとし、支点と握り部の間に手羽中をはさみ、押し下げると２本の骨が露出し、簡単に骨がとれる形状の開口部を設けたことを特徴とする、手羽中の骨とりハサミ。
【発明の詳細な説明】
【技術分野】
【０００１】    本発明は、鶏料理にて使う手羽中の２本の骨を簡単にとれるようにするための形状をもった、手羽中の骨とりハサミに関するものである。
【背景技術】
【０００２】従来包丁を使って骨をとっていたときは、むずかしく時間もかかっていた。
また、板材の中央部を湾曲するように曲げ、両端辺側の切り欠き間に２本の手羽骨を挟み込んで、板材の湾曲した方向に手羽骨を押し込みながら、手羽中から手羽骨を取り去る技術が考案されている（特許文献１）。
【特許文献１】  実開平５−２１６８２
【発明の開示】
【発明が解決しようとする課題】
【０００３】  そのため次のような問題があった。
（イ）手羽先の皮はすべりやすく、包丁で切り込みを入れるのがむずかしかった。
（ロ）失敗して皮を切ってしまい、製品にならなくなってしまったり、包丁では危険もあった。
本発明は以上の問題点を解決するためになされたものである。
【課題を解決するための手段】
【０００４】上記の問題を解決するために、包丁を使わず、危険性の少ないハサミ型を使用、支点と握り部分の間に、手羽中の骨の形状を考えた開口部を設け、ハサミ型を水平にして手羽中を挟み込んだ開口部を押し下げるだけで、骨２本を露出させることを特徴とした、手羽中の骨とりハサミである。
【発明の効果】
【０００５】  その結果
（イ）発明は包丁を使うむずかしさや危険性がないため、簡単に手羽中の骨がとれるようになる。
（ロ）簡単になり時間もかからず、家庭でオリジナル手羽料理を工夫して楽しめる。
【発明を実施するための最良の形態】
【０００６】  以下、本発明について説明する。
（イ）ハサミの支点（１）と握り部（２）の間、柄部（３）に、太骨用開口部（４）と細骨用開口部（５）を設ける。
（ロ）ハサミを水平にして手羽中を開口部（４）（５）に挟み込んで押し下げるとき、右手で握り部（２）を持ち、左親指で支点（１）を押し下げる。このとき左親指がすべって刃部（６）の方へいかないように支点（１）をすべりにくい形状にする。
（ハ）食品に使用するため支点（１）は取りはずし、刃部の左右を分解して洗えるようにする。
（ニ）他は一般のキッチンハサミと同様の構成とする。
本発明は以上のような構造で、使用するときは図２に示すように手羽中の関節部分に（４）（５）の開口部をはさむ。図中、矢印は、ハサミを水平にして手羽中をはさんで押し下げる方向を示す。このとき、この部分の関節が太いことと２本の骨（図４にて露出するような）が筋でつながっているため、ハサミは少し開いてはさむ。そして少し押し下げる（図３）と骨の細い部分に達するためハサミは閉じて下まで押し下げる（図４）。
ここでハサミを抜き、つながっていた２本の筋を切る（図５）。骨が２本に分かれたところで、細い骨（図６）そして太い骨（図７）という順に骨を抜きとる。
また骨を抜きとるときは、関節部分をはずすように折りまげると簡単に抜きとれる。
以上で（図８）のような骨のない詰め物が出来る状態になる。
このようにして得られた手羽中（図８）に、肉や野菜など食材を詰め込んで、手羽餃子などの料理に供したり、自分で工夫した加工食材を詰め込んで、各種オリジナル手羽料理を楽しむこともできる。特に、鶏の部位の中でも手羽はコラーゲンが豊富で、美容にも良いといわれ、人気がある。家庭で簡単に手羽料理の加工ができるようになれば、創作する楽しみは大きい。
【図面の簡単な説明】
【０００７】
【図１】  本発明の実施例を示す斜視図
【図２】  本発明の使用状態を示す斜視図
【図３】  本発明の使用状態を示す斜視図
【図４】  本発明の使用状態を示す斜視図
【図５】  本発明の使用状態を示す斜視図
【図６】  本発明使用後の手羽の扱いを示す斜視図
【図７】  本発明使用後の手羽の扱いを示す斜視図
【図８】  骨を抜いた後の手羽を示す斜視図
【符号の説明】
【０００８】  １支点
２握り部
３柄部
４太骨用開口部
５細骨用開口部
６刃部
【図１】
2008194020.tif 000003
【図２】
2008194020.tif 000004
【図３】
2008194020.tif 000005
【図４】
2008194020.tif 000006
【図５】
2008194020.tif 000007
【図６】
2008194020.tif 000008
【図７】
2008194020.tif 000009
【図８】
2008194020.tif 000010
(57)【要約】【課題】手元にある高ハイト分割ダイレール１にて、上面に２連のＶ溝を有する分割式同芯２Ｖダイ２を、そのＶ溝が上型に対して芯出しして分割式同芯２Ｖダイ用ダイレール３に、分割式同芯２Ｖダイ２底面の凹溝と分割式同芯２Ｖダイ用ダイレール３の凸部を介して、着脱式に固定できるようになっているプレスブレーキにおいて、曲げ加工時にワーク４とダイホルダー底部５の干渉を手軽かつ確実に避け、加工コストの低減化を達成できるようにしたダイレールを提供する。【解決手段】本発明は上記プレスブレーキにおいて、既存の分割式同芯２Ｖダイ用ダイレール３と分割式同芯２Ｖダイ２との間に設置し、分割式同芯２Ｖダイ２上面をダイホルダー底部５に対して相対的に高くすることにより、容易かつ確実に干渉を避け、曲げ加工を可能とするよう構成した。【選択図】図１
2008194714.tif 000002
【特許請求の範囲】
【請求項１】
上面に２連のＶ溝を有する分割式同芯２Ｖダイを、そのＶ溝が上型に対して芯出しして分割式同芯２Ｖダイ用ダイレールに、分割式同芯２Ｖダイ底面の凹溝と分割式同芯２Ｖダイ用ダイレールの凸部を介して、着脱式に固定できるようになっているプレスブレーキにおいて、前記分割式同芯２Ｖダイ用ダイレールと分割式同芯２Ｖダイとの間に設置し、分割式同芯２Ｖダイ上面をダイホルダー底部に対して相対的に高くすることを目的とすることを特徴とする分割ダイレール。
【請求項２】
折り曲げ加工をする際に、前記分割式同芯２Ｖダイのズレ、倒れを防止するための押え金具を取り付けるネジ穴をダイレール側面に備えた請求項１に記載の分割ダイレール。
【請求項３】
前記分割式同芯２Ｖダイの分割寸法に合わせ、様々な幅の寸法を設定することを特徴とする請求項１、２に記載の分割ダイレール。
【発明の詳細な説明】
【技術分野】
【０００１】
本発明は、板材をＶ上に折り曲げるためのダイと、該ダイの上面にＶ溝を上型に対して芯出ししてダイレールに着脱式に固定できるように構成されるプレスブレーキに関するものである。
【背景技術】
【０００２】
ワークを鍵状に曲げる場合、ワーク端より製品の形状どおり曲げてしまうと、寸法によってはダイホルダー底部に干渉してしまい、曲げ加工を行うことが不可能なため、最初の一箇所目は一度４５度程度曲げ、その後二箇所目を曲げてから再度一度目の曲げ部分を深く曲げるという、２度曲げを考慮する必要があり、曲げ工程の順序を考えながら曲げる必要があった。
【０００３】
また別の方法として、可能であれば通常曲げる順序とは逆の順序で曲げるように、プレスブレーキの設定を変更するため再計算の必要があった。
【発明の開示】
【発明が解決しようとする課題】
【０００４】
しかしながら、前記の２度曲げやプレスブレーキの設定変更は手間と労力を必要とするばかりでなく、作業の遅延となる原因となっていた。
【０００５】
本発明は上記課題を解決するためのものであり、その目的とするところは、手間や労力をかけず簡単かつ短時間に作業することが可能となるダイレールを提供することにある。
【課題を解決するための手段】
【０００６】
上記の問題を解決するため本発明は、上面に２連のＶ溝を有する分割式同芯２Ｖダイを、そのＶ溝が上型に対して芯出しして分割式同芯２Ｖダイ用ダイレールに、分割式同芯２Ｖダイ底面の凹溝と分割式同芯２Ｖダイ用ダイレールの凸部を介して、着脱式に固定できるようになっているプレスブレーキにおいて、前記分割式同芯２Ｖダイ用ダイレールと同様の凸部をもつ形状を備え、付加価値の高い板材の折り曲げに使用する分割式同芯２Ｖダイ用ダイについて、再度芯出しの調整をする必要が無いよう構成した。
【０００７】
また、折り曲げ加工の際のダイのズレや倒れを防止するための押え金具を取り付けできるようダイレール側面にネジ穴を備えるよう構成した。
【０００８】
さらに様々な幅を持つ前記分割式同芯２Ｖダイ用ダイに対応することが可能となるように、同様の幅のダイレールを揃え構成した。
【発明の効果】
【０００９】
以上のように、本発明に係る上面に２連のＶ溝を有する分割式同芯２Ｖダイを、そのＶ溝が上型に対して芯出しして分割式同芯２Ｖダイ用ダイレールに、分割式同芯２Ｖダイ底面の凹溝と分割式同芯２Ｖダイ用ダイレールの凸部を介して、着脱式に固定できるようになっているプレスブレーキにおいて、折り曲げ加工時のワークとダイホルダー底部が干渉する際に手軽に利用が可能なことから、折り曲げ加工時の寸法によるワークの曲げの順序を考慮する必要が減少し、作業時間の短縮、ひいては加工コストの低減化に寄与できるという優れた効果を奏するものである。
【発明を実施するための最良の形態】
【００１０】
次に、本発明の実施の形態を図面に基づいて説明する。図１は本願の組立状態を示す斜視図の図面代用写真、図２は本願の断面を表す図面代用写真、図３は従来のワークの干渉例の図面代用写真、図４は本願の実施例の図面代用写真である。
【実施例】
【００１１】
図１および図２を参照するに、本願の高ハイト分割ダイレール１は、上部に分割式同芯２Ｖダイ２の底部に設けた凹溝と系合させるための凸条部を有し、底部には既存の分割式同芯２Ｖダイ用ダイレール３の凸部を介して、着脱式に固定できるように凹溝を設け、必要な際に容易に設置することが可能な構成としている。
【００１２】
図３を参照するに、曲げ加工にてワーク端６がダイホルダー底部５に干渉してしまい、そのままでは曲げ加工が不可能な状態となる場合がある。
【００１３】
前記の状態を解消するべく、図１および図３を参照するに、本願の高ハイト分割ダイレール１を既存の分割式同芯２Ｖダイ用ダイレール３と分割式同芯２Ｖダイ２の間に系合し、ワーク端６とダイホルダー底部５との干渉を避けることにより、容易に曲げ加工を行うことが可能となる。
【産業上の利用可能性】
【００１４】
本願の高ハイト分割ダイレール１を備えておくことにより、曲げ加工時の手順の考慮や、手間および労力を減少することが可能となり、加工コストの低減化を達成できるようになるものである。
【図面の簡単な説明】
【００１５】
【図１】本願の組立状態の斜視図の図面代用写真である。
【図２】本願の断面を示す図面代用写真である。
【図３】従来例を示す図面代用写真である。
【図４】本願の実施例を示す図面代用写真である。
【符号の説明】
【００１６】
１    高ハイト分割ダイレール
２    分割式同芯２Ｖダイ
３    既存の分割式同芯２Ｖダイ用ダイレール
４    ワーク
５    ダイホルダー底部
６    ワーク端
【図１】
2008194714.tif 000003
【図２】
2008194714.tif 000004
【図３】
2008194714.tif 000005
【図４】
2008194714.tif 000006
(57)【要約】【課題】ベッド形状の如何に拘わらず、タレットのＸ軸方向の大きいストロークを必要をせずに、ワークの径・重量等によって制約を受けることなくワークの払出を可能にする。【解決手段】旋盤は、工具取付面21に払出部材31が取付られているタレット11と、加工済みワークＷを仮受けするための仮受台12と、仮受台12上から払出されたワークＷを機外まで搬送するためのシュート13とを備えている。ワーク払出方法は、タレット11の旋回による払出部材31の旋回半径Ｒ内に仮受台12上のワークＷが入る位置までタレット11を移動させ、その位置で仮受台12上のワークＷが払出部材31によってシュート13上に払出されるようにタレット11を旋回させるものである。【選択図】図１
2008194785.tif 000002
【特許請求の範囲】
【請求項１】
工具取付面に払出部材が取付られているタレットと、加工済みワークを仮受けするための仮受台と、仮受台上から払出されたワークを機外まで搬送するためのシュートとを備えている旋盤において、タレットの旋回による払出部材の旋回半径内に仮受台上のワークが入る位置までタレットを移動させ、その位置で仮受台上のワークが払出部材によってシュート上に払出されるようにタレットを旋回させることを特徴とするワーク払出方法。
【請求項２】
旋回速度および旋回角度の変更を可能とするタレットを用いることを特徴とする請求項１に記載のワーク払出方法。
【発明の詳細な説明】
【技術分野】
【０００１】
この発明は、仮受台上に仮受された加工済みのワークを払出すワーク払出方法に関する。
【背景技術】
【０００２】
従来、この種のワーク払出方法としては、工具取付面に払出部材が取付られているタレットと、加工済みワークを仮受けするための仮受台と、仮受台上から払出されたワークを機外まで搬送するためのシュートとを備えている旋盤において、タレットのＸ軸方向の移動による払出部材の直線移動によって仮受台上のワークをシュート上に払出すようにしたものが知られている（例えば、特許文献１参照。）。
【０００３】
上記従来方法では、タレットのＸ軸方向の移動に依存しているため、ベッド形状がスラント若しくは水平である必要があった。また、タレットのＸ軸方向の大きいストロークを必要とした。さらには、ワークの径・重量等によって払出を可能とする制約が大きかった。
【特許文献１】実用新案登録公報第２５２８７４４号
【発明の開示】
【発明が解決しようとする課題】
【０００４】
この発明の目的は、ベッド形状の如何に拘わらず、タレットのＸ軸方向の大きいストロークを必要をせずに、ワークの径・重量等によって制約を受けることなくワークの払出を可能とするワーク払出方法を提供することにある。
【課題を解決するための手段】
【０００５】
この発明によるワーク払出方法は、工具取付面に払出部材が取付られているタレットと、加工済みワークを仮受けするための仮受台と、仮受台上から払出されたワークを機外まで搬送するためのシュートとを備えている旋盤において、タレットの旋回による払出部材の旋回半径内に仮受台上のワークが入る位置までタレットを移動させ、その位置で仮受台上のワークが払出部材によってシュート上に払出されるようにタレットを旋回させることを特徴とするものである。
【０００６】
この発明によるワーク払出方法では、タレットの旋回動作によってワークを払出しているから、ベッド形状の如何に拘わらず、タレットのＸ軸方向の大きいストロークを必要をせずに、ワークの径・重量等によって制約を受けることなくワークを払出すことができる。
【０００７】
さらに、旋回速度および旋回角度の変更を可能とするタレットを用いることが好ましい。
【発明の効果】
【０００８】
この発明によれば、ベッド形状の如何に拘わらず、タレットのＸ軸方向の大きいストロークを必要をせずに、ワークの径・重量等によって制約を受けることなくワークの払出を可能とするワーク払出方法が提供される。
【発明を実施するための最良の形態】
【０００９】
この発明の実施の形態を図面を参照しながらつぎに説明する。
【００１０】
旋盤は、水平旋回軸Ｃを有しかつ垂直であるＸ軸方向に移動自在であるタレット11と、タレット11の旋回軸Ｃ下方に配置されている水平ブロック状仮受台12と、仮受台12から機外に向かってのびている搬出用シュート13とを備えている。タレット11の旋回方向が図１中矢印Ａで示されている。
【００１１】
タレット11の外周面には複数の工具取付面21が周方向に３０度の間隔θをおいて設けられている。各工具取付面21には半径方向取付孔22が形成されている。工具取付面21の１つには払出部材31が取付られている。払出部材31は、取付孔22にはめ入れられている丸棒状シャンク部32と、取付孔22から突出させられかつシャンク部32の先端にこれと一体的に設けられているヘッド部33とよりなる。ヘッド部33には払出面34が設けられている。払出面34は、タレット11の旋回によって払出部材31が進む側を向きかつタレット11半径方向と交差させられている。仮受台12の頂面には横断面輪郭Ｖ字状仮受面41が形成され、これに、丸棒状ワークＷが受けられている。シュート13は、機外に近づく程低くなるように傾斜させられている。シュート13の先端にはストッパ51が設けられている。
【００１２】
図１において、払出部材31の旋回半径がＲで示されている。この旋回半径内に仮受台12上のワークＷの上部が入り込んでいる。図１に実線で示す払出部材31は、タレット11の旋回軸Ｃを通る垂直線から、隣り合う２つ工具取付面21の間隔の半分の角度θ／２、すなわち１５度だけタレット11の旋回方向Ａの反対側に角度を持たされている。図１で示す状態から、タレット11が旋回して、払出面34がワークＷの外面に当接した時点で、払出面34はワークＷの半径方向と直交させられるようになっている。
【００１３】
加工済みのワークＷが仮受台12上に仮受されると、タレット11が上方から図１に示される位置まで下降させられる。このときに、払出部材31は図１に示される角度に保持されていることが好ましい。図１に示される位置までタレット11が下降させられると、その下降は停止する。ついで、タレット11を旋回させると、払出部材31の移動によって仮受台12上のワークＷはシュート13上まで払出される。シュート13上を落下するワークＷは、ストッパ51のところで停止させられる。
【図面の簡単な説明】
【００１４】
【図１】この発明によるワーク払出方法に用いられる旋盤の概略構成図である。
【符号の説明】
【００１５】
11  タレット
12  仮受台
13  シュート
21  工具取付面
31  払出部材
Ｗ  ワーク
【図１】
2008194785.tif 000003
(57)【要約】【課題】  置き碁石をゲーム盤上に置いた場合に、その置き碁石の置くことの出きる位置範囲が不明確である場合の不都合を解決すること【解決手段】  碁盤目上の置き碁の位置に、置き碁の位置範囲を明確に指定した瘤を設けることにより、この課題を解決する【選択図】図１
2008194447.tif 000002
【特許請求の範囲】
【請求項１】
囲碁用ゲーム盤の置き碁の位置の黒丸印、及び十字を取り除いて、菱形の瘤としたことを特徴とする囲碁用新型ゲーム盤。
【請求項２】
碁盤目上の置き碁の位置の瘤の形を正方形としたことを特徴とする囲碁用新型ゲーム盤。
【発明の詳細な説明】
【技術分野】
【０００１】  本発明は囲碁用ゲーム盤の碁盤目に関するものであり、ゲーム盤の碁盤目の置き碁の位置の黒丸印の形状に工夫を加えることによって、囲碁用ゲーム盤の置き碁石の置くことの出きる位置範囲を明確に指定できるようにしたものである。
【背景技術】
【０００２】  従来から、囲碁ゲーム盤の置き碁の位置として黒丸印が利用されている。この例として、特許文献や、非特許文献に開示されているものがある。
【特許文献１】            特開                                    号広報
【非特許文献２】
【発明の開示】
【発明が解決しようとする課題】
【０００３】  しかし、従来のような形状が交点の位置での黒丸印では、実戦での置き碁では黒丸印以外の位置にも碁石を打つことが出きるので、何の為の黒丸印か非常に不明確である。本発明は、このような、置き碁石を囲碁用ゲーム盤に置いた場合の不都合を解決することを課題とする。
【発明を解決するための手段】
【０００４】  この課題を解決するための請求項１の発明は、囲碁用ゲーム盤の置き碁の位置に菱形の瘤を設けたことを特徴とする、囲碁用新型ゲーム盤である。置き碁石の置ける位置範囲を２、４、５、６、８、（図４）の５箇所に明確に指定することが出き、置き碁の位置範囲の不明確性を防止できる。
【０００５】  また、請求項２の発明は、置き碁の位置を正方形の瘤に置き換えたことを特徴とする、囲碁用新型ゲーム盤である。置き碁の位置範囲を１、２、３、４、５、６、７、８、９、（図４）の９箇所に明確に指定ことが出き、置き碁の位置範囲をさらに広げることもできるので、ゲームの不可解性を防止できる。また、このゲーム盤は置き碁の位置範囲が９箇所になっているため、菱形の瘤のように置き碁の位置範囲が限定されていないため（図４）、置き碁石を何処にでも置くことが出きるため、置き碁の位置範囲の不明確性を意識する必要がない。
【発明の効果】
【０００６】  本発明により、碁石を瘤に置く場合に、置き碁の位置範囲が不明確のため、間違えるという不都合はおきず、置き碁をしない場合でもそのまま囲碁用ゲーム盤として使用できる。
【発明を実施するための最良の形態】
【０００７】  図１は、囲碁用ゲーム盤の置き碁の位置に菱形の瘤を設けたことを特徴とする、囲碁用新型ゲーム盤の平面図である。同図に示すように、囲碁用新型ゲーム盤の碁盤目の置き碁の位置に瘤を設けることにより、置き碁の位置範囲が指定できる。【０００８】  図３は、瘤を正方形にしたことを特徴とする、囲碁用新型ゲーム盤の瘤の平面図である。同図に示すように、瘤が正方形であるため、置き碁の位置範囲が９個所有する。よって、菱形の瘤のように置き碁の位置範囲が限定されていないため、置き碁をする人が特に意識することもなしに、置き碁の位置範囲ならば何処にでも置き碁石を置く事が出きる。【０００９】  これら囲碁用新型ゲーム盤の材料は、木材やプラスチックなどの通常のものでよい。また、瘤の形状は他の形でもよく、菱形や正方形の瘤の中にデザインを施したものてもよい。
【産業上の利用可能性】
【００１０】  本発明に係る囲碁用新型ゲーム盤は、工業的に量産することが可能であるため、産業上の利用可能性を存する。
【図面の簡単な説明】
【００１１】
【図１】  碁盤目上の置き碁の位置範囲が菱形の瘤になっている囲碁用新型ゲーム盤
【図２】  菱形の瘤
【図３】  正方形の瘤
【図４】  説明のために符号の打ってある菱形の瘤
【図５】  碁盤目上の置き碁の位置が黒丸印になっている従来の囲碁用ゲーム盤
【符号の説明】
【００１２】  １、３、７、９、は菱形の瘤の碁盤目の格子と接しない交点。
２、４、６、８、は菱形の瘤の碁盤目の格子と接する交点。
５、            は菱形の瘤の内
【図１】
2008194447.tif 000003
【図２】
2008194447.tif 000004
【図３】
2008194447.tif 000005
【図４】
2008194447.tif 000006
【図５】
2008194447.tif 000007
(57)【要約】      （修正有）【課題】トイレットペーパーが無くなったときに、トイレの外にトイレットペーパーを取りに行くか、或いは予備のトイレットペーパーがあっても直接床に置いてあるので床が水に濡れる場合にはトイレットペーパーが濡れたり、汚れたりしてしまう。予備のトイレットペーパーが２個まで置け、濡れるのを防止できるトイレットペーパー立ての提供。【解決手段】トイレ１つに付き、１個以上のプラスチックのトイレットペーパー立てを置いておき、常時１個〜２個の予備のトイレットペーパーを置いておくと濡れずに保管できる。【選択図】図１
2008194432.tif 000002
【特許請求の範囲】
【請求項１】
トイレにある予備のトイレットペーパーを置く置き台。２個まで置ける置き台。数は１個〜２個選ぶことができる。
【発明の詳細な説明】
【技術分野】
【０００１】本発明は、トイレにおける予備のトイレットペーパーの置き台に関する。
【背景技術】
【０００２】本発明は、予備のトイレットペーパーの数を１個〜２個置くことを選ぶことができる。トイレットペーパーは、左右隙間を作ることで取り出しやすくなっている。
【発明の開示】
【発明が解決しようとする課題】
【０００３】トイレにある予備のトイレットペーパーが従来は汚れたり濡れたりすることがあった。それを少しでもカバーしようとしている。予備のトイレットペーパーは、２個まで置けるようになった。
【課題を解決するための手段】
【０００４】プラスチックの置き台に置くことで、予備のトイレットペーパーが濡れなくなる。予備のトイレットペーパーの個数が、２個まで増やすことができる。
【発明の効果】
【０００５】予備のトイレットペーパーの置き場所が明確に確保できる。床が濡れていても、予備のトイレットペーパーが濡れることはない。予備のトイレットペーパーが２個まで確保できる。
【発明を実施するための最良の形態】
【０００６】トイレの４隅に置く。本品をと異例１箇所に着き１個置く
【実施例】
【０００７】
2008194432.tif 000003
【産業上の利用可能性】
【０００８】デパート、各会社、家等トイレ１箇所に付き、１個使える。
【図面の簡単な説明】
【０００９】▲Ａ▼の商品はプラスチック素材（もしくは、樹脂、ホウロウ、紙製、ダンボール、厚紙、トタン、木、ゴム、アルミニウム、ステンレス、鉄、新鉱鉄、陶器、その他で）で濡れないように、トイレットペーパーをカバーリングしている。個数は２個までとなっている。▲Ａ▼の商品は上から見ると長方形、もしくは円形等となっている。トイレットペーパーは縦に入れる。▲Ａ▼の１の形は１本線になっているが２本線等、いろいろなデザインが可能である。▲Ａ▼のセンチメートルは多少変わってもよい。▲Ｂ▼の商品は、そのまま四角い箱型でもよい。７の形は円形、長方形、花弁形、楕円形といろいろできる。８のようにふたをつけてもよい。取り外しのきく蓋、陽気にくっついた蓋等いろいろである。▲Ａ▼▲Ｂ▼の柄はいろいろできる。色もいろいろできる。▲Ｃ▼はトイレットペーパーを横向きに入れる。▲Ｄ▼のように、上のほうが大きくなっている商品でもよい。▲Ｄ▼に２の溝をつけてもよい▲Ｇ▼の４の上から見たデザインは、長方形、円形、正方形、楕円形、花弁形等いろいろなデザインが可能である。▲Ｇ▼の４のラインは、斜めにカットしてもよい。
【図１】予備のトイレットペーパー立てを示した平面図である。
【図２】予備のトイレットペーパー立てを示した断面図である。
【符号の説明】
【００１０】１は、トイレットペーパーが２個入る高さである。
２は、手で簡単に、トイレットペーパーが取れて便利である。左右前後四方にその溝の形を入れてもよい。
３は、上から見ると、トイレットペーパーを入れるところは円形である。また四角でも構わない。
４個の形は、円形、楕円形、長方形、正方形といろいろな形にすることができる。
５，６の面の模様は、円形のくりぬき等、いろいろな柄，色などデザインにすることができる。
７に、蓋をくっつけることもできる。
８蓋である。
【図１】
2008194432.tif 000004
【図２】
2008194432.tif 000005
(57)【要約】      （修正有）【課題】味噌汁の味噌を溶く時などに、味噌容器に水分が垂れたりせず味噌の乗置も少なく、撹拌に手間が掛からず、１本で二役の機能を持ち、多目的に使えることができる撹拌棒を提供する。【解決手段】平らなへらに支軸１を設けて一体化し、その反対側に固定盤３を介して先の分かれている撹拌棒２を設けた構成とし、平らなへら部分で味噌を掬うことと撹拌棒２で混ぜることを、指で支軸１を反転させることで簡単に切り替えられることを特徴とする撹拌棒。【選択図】図１
2008194436.tif 000002
【特許請求の範囲】
【請求項１】
平らなへらに支軸を設け、その反対側に先の分かれている撹拌棒を設けたことを特徴とする撹拌棒。
【発明の詳細な説明】
【技術分野】
【０００１】  本発明は、平らなへらに支軸を設け、その反対側に先の分かれている撹拌棒を設けたことを特徴とする撹拌棒で、たとえば、味噌汁、ドレッシングを作るとき、１本で二役の機能を持ち、多目的に使えることが特徴の撹拌棒に関するものである。
【背景技術】
【０００２】  従来、撹拌棒で味噌を抄い、そのまま混ぜるものがあった。
味噌のお湯の量に目盛りを合せたあと、そのまま本体を味噌の中に入れて、抄い混ぜるものがあった。
【発明の開示】
【発明が解決しようとする課題】
【０００３】  そのため、次のような問題点があった。
（イ）味噌汁を作るとき、何度か味噌を足して味を整えたいとき、同一の器具だったため    、味噌容器の中に水分が垂れていた。
（ロ）撹拌するとき、味噌の溶け具合が思ったより手間がかかっていた。
本発明は、これらの問題点を解決するためになされたものである。
【課題を解決するための手段】
【０００４】  平らなへらに支軸を設け、反対側に先の分かれている撹拌棒を設けたことを特徴とする多目的に使えることが特徴の撹拌棒である。
【発明の効果】
【０００５】  本発明は、平らなへらで味噌を抄うことにより残置が少ない。
また、へらの反対側に先の分かれている撹拌棒があるため、味噌容器の中に水分が垂れない。
【発明を実施するための最良の形態】
【０００６】  以下、本発明の実施の形態について説明する。
（イ）平らなへらと支軸（１）を一体化する。
（ロ）撹拌棒（２）は、８本が使いやすい。
（ハ）８個の穴を設けた固定盤（３）に、撹拌棒（２）を設ける。
（ニ）平らなへらと支軸（１）の反対側に、撹拌棒（２）を設ける。
本発明は、以上の構成である。
本発明を使用するときは、平らなへらで味噌を抄ったら、そのまま指で支軸を反転させ撹拌棒（２）で混ぜる。
再度、味噌を抄うとき、また、指で反軸させる。
その繰り返しでよい。
【図面の簡単な説明】
【０００７】
【図１】  本発明の斜視図である。
【図２】  本発明の使用状態を示した説明図である。
【図３】  本発明の使用状態を示した説明図である。
【符号の説明】
【０００８】  １  へらと支軸      ２  撹拌棒      ３  固定盤
【図１】
2008194436.tif 000003
【図２】
2008194436.tif 000004
【図３】
2008194436.tif 000005
(57)【要約】【課題】  トイガンを運搬する際コンパクトにより安全に多くのトイガンを運ぶ事の出来るトイガン収納ボックス  ケースを提供する。【解決手段】  発泡スチロール又はそれに変わる素材をトイガンの形に成型（１）に傷を付けないように柔らかい素材の布又はそれに変わる素材で接着または被せ固定（２）（１）と（２）を（３）のケースに固定したトイガン収納ボックス  ケースを特徴とする【選択図】図３
2008194431.tif 000002
【特許請求の範囲】
【請求項１】
（イ）整形した発泡スチロール又はそれに変わる素材を（１）
（ロ）ボックス  ケース（３）に固定してトイガンを立てて収納
以上の構成よりなる縦型式トイガン収納ボックス  ケース
【発明の詳細な説明】
【技術分野】
【０００１】この発明はトイガン収納ボックス  ケースに関するものである
【背景技術】
【０００２】従来トイガンに関するケースは傷を防ぐ為繊維製品であったり、ハードケースであっても一般的に鑑賞を目的とする為にトイガンを横向きに置き鑑賞しやすいようにとされてきました
【発明の開示】
【発明が解決しようとする課題】
【０００３】これは次のような欠点があった
（イ）繊維製品には落とした時トイガンが破損する
（ロ）ハードケースであっても鑑賞を第一目的とし、トイガンを横向きにしたので無駄なスペースが必要だった
（ハ）横向きにトイガンを収納した為数個のトイガンを運搬する為にはケースを幾つも運搬する必要があり大変だった
本発明は、以上のような欠点をなくすためになされたものである
【課題を解決するための手段】
【０００４】本発明はトイガンの鑑賞を第一の目的としておらず、いかにトイガンを傷付けることなくコンパクトに目的地に運搬する事が出来るかを追求した結果作られた発明です
発泡スチロール又はそれに変わる素材をトイガンの形に成型（１）に傷を付けないように柔らかい素材の布又はそれに変わる素材で接着または被せ固定（２）  （１）と（２）を（３）のケースに固定
本発明は、以上の構成からなる縦型式トイガン収納ボックス  ケースである
【発明の効果】
【０００５】（イ）トイガンを横置きから縦置きにした事により、スペースを有効に使用出来コンパクトな空間に１０個以上のトイガンが収納出来るようになりました
（ロ）（１）の（Ａ）の加工によりグリップ部分を固定、コンパクトながら他のトイガンと干渉しない為、トイガンに傷を付けることなく運搬が可能
（ハ）（１）の（Ｂ）の加工によりトイガンのトリガーガード部を固定、トイガンをしっかりと固定して多少の衝撃にも動じない
【発明を実施するための最良な形態】
【０００６】以下、本発明を実施するための最良の形態について説明する
発泡スチロール又はそれに変わる素材（１）をトイガンの形に成型加工する、傷を付けないように柔らかい素材の布又はそれに変わる素材で接着または被せ固定（２）トイガンが安易に動かないように（１）で幅などを微調整（３）のボックス  ケースに（１）及び（２）を固定する本発明は以上のような構造である
これを使用するときはトイガンを立てて収納または運搬する為の発明ですからトイガンを前方方向より挿入して（１）に固定、収納または運搬などに使用使い方はこうします
【図面の簡単な説明】
【０００７】
【図１】（１）（２）の斜面図
【図２】（１）（２）の正面図
【図３】（１）（２）及び（３）の組み合わせによる完成斜面図
【図４】（１）（２）及び（３）の組み合わせによる完成上面図
【符号の説明】
【０００８】１    発泡スチロール又はそれに変わる素材
２    傷を付けないように柔らかい素材の布又はそれに変わる素材
３    あらゆる素材のボックス  ケース
Ａ    １の加工部分
Ｂ    １の加工部分
【図１】
2008194431.tif 000003
【図２】
2008194431.tif 000004
【図３】
2008194431.tif 000005
【図４】
2008194431.tif 000006
(57)【要約】【課題】電気洗濯機の使用時につぶれてしまうブラジャーのカップの紡鍾形状の型崩れの防止具を提供する。【解決手段】カップの中に入るクッション部の上部から網を設け、その網の端にゴムを設け、その網でブラジャー全体を包むことにより、ブラジャーの型崩れの防止をすることを特徴とする、洗濯崩れ防止具。【選択図】図１
2008194435.tif 000002
【特許請求の範囲】
【請求項１】
上部を開口し開口部の周縁にゴム帯を有する円錐状の網袋の後端を略球体状のクッション部の表面に接続して設け、クッション部の両側を挟むようにブラジャーのカップの左右を被せて、網袋を反転させながらクッション部とブラジャーを被覆しゴム帯で止めることにより、電気洗濯機使用時の洗濯用ブラジャーの型崩れ防止具。
【発明の詳細な説明】
【技術分野】
【０００１】  本発明は、電気洗濯機使用時による、ブラジャーのカップの型崩れを防止する、ブラジャーの洗濯崩れ防止具に関するものである。
【背景技術】
【０００２】  従来、洗濯するときに使用する、洗濯ネットは、下着洗い用の小さなものや、立体的になったものはあるが、衣類に付いているホックやレースが傷まないためのものであった。
【発明が解決しようとする課題】
【０００３】  そのために、次のような欠点があった。
（イ）ブラジャーをネットに入れるのは、衣類のホックやレースを傷めないためのもの        である。
（ロ）洗濯機の強力な回転で、もみくちゃにされる事により、ブラジャーの紡鍾形の型        のパットが崩れてしまう。
本発明は、以上の欠点を解決するために考案されたものである。
【課題を解決するための手段】
【０００４】  ブラジャーのカップの中に入るクッション部の上部から、網を設け、その網の端にゴムを設け、その網でブラジャー全体を包み、ゴムで止めることにより、電気洗濯機使用時による洗濯用ブラジャーの型崩れの防止具である。
【発明の効果】
【０００５】  本発明は、電気洗濯機で洗濯中につぶれてしまう、ブラジャーのカップを、手軽に防止できる。
【発明を実施するための最良の形態】
【０００６】以下、本発明の実施の形態を説明する。
（イ）ブラジャーのカップ（５）の内側に入る紡鍾形状のクッション部（１）は、内部を      空洞にした軟質ゴム又は弾力性のある合成樹脂からなる。
（ロ）カップ（５）を守るクッション部（１）の上部に細かい網目からなり伸縮性のある      円錐状の網体（２）を設ける。
（ハ）網体（２）の上面を開口部（４）とし、開口部（４）の周縁にゴム帯（３）を設け      る。
本発明は以上の構成によりなり、本発明を使用するときには、クッション部（１）をブラジャーカップの内側に入れた後、ブラジャーの肩紐と胴回り部もあわせて一緒に円錐状の網体（２）を裏返すようにして網体（２）で包む。開口部（４）の周囲に設けたゴム帯（３）により網体（２）が全体を袋状に包み込んで口部を閉じる。
このまま電気洗濯機で洗濯できる。
ブラジャーを出すときには、網体（２）の開口部（４）より中身を出すことが出来る。
【図面の簡単な説明】
【０００７】
【図１】本発明の斜視図
【図２】本発明のセット時の使用状態を示す斜視図
【図３】本発明使用状態を示す断面図
【図４】本発明の使用状態を示す斜視図
【符号の説明】
【０００８】  １、クッション部
２、網体
３、ゴム帯
４、開口部
５、ブラジャーのカップ
【図１】
2008194435.tif 000003
【図２】
2008194435.tif 000004
【図３】
2008194435.tif 000005
【図４】
2008194435.tif 000006